(57)【要約】【課題】メイン情報用の記録領域を削減することなく、音楽や映像等の各種コンテンツからなるメイン情報とともに付加情報を記録及び／又は再生し、上記付加情報に応じて上記メイン情報に適応的な処理を施すことができるようにする。【解決手段】情報記録部１４により、音楽や映像等の各種コンテンツからなるメイン情報として記録される記録マークの記録位置を示すアドレス情報として意味を持たせた付加情報として、上記メイン情報に関連する付加情報を多重化して情報記録媒体１５に記録し、情報再生部１６により、上記情報記録媒体１５からメイン情報と付加情報を再生して、上記メイン情報に対して上記付加情報に応じた適応的な処理を施す。【選択図】　　　　図１
2004013965.tif 000002
【特許請求の範囲】
【請求項１】
メイン情報と付加情報が記録された情報記録媒体であって、
上記メイン情報の記録位置を示すアドレス情報として意味を持たせた上記付加情報が埋め込まれていることを特徴とする情報記録媒体。
【請求項２】
上記付加情報は、上記メイン情報の再生及び／又は記録の動作を適応的に変化させるトリガ情報であることを特徴とする請求項１記載の情報記録媒体。
【請求項３】
上記メイン情報の記録位置を示すアドレス情報の上位ビットとして意味を持たせた上記付加情報が埋め込まれていることを特徴とする請求項１記載の情報記録媒体。
【請求項４】
複数の記録領域を切り換えて使用される情報記録媒体であって、
上記メイン情報が各記録領域に分配して記録されることにより、上記メイン情報が記録された記録領域を示すアドレス情報として意味を持たせた上記付加情報が埋め込まれていることを特徴とする請求項１記載の情報記録媒体。
【請求項５】
多層の書き込み層を有する情報記録媒体であって、上記メイン情報が各書き込み層に分配して記録されることにより、上記メイン情報が記録された書き込み層を示すアドレス情報として意味を持たせた上記付加情報が埋め込まれていることを特徴とする請求項１記載の情報記録媒体。
【請求項６】
両面記録の情報記録媒体であって、
上記メイン情報が各書き込み面に分配して記録されることにより、上記メイン情報が記録された書き込み面を示すアドレス情報として意味を持たせた上記付加情報が埋め込まれていることを特徴とする請求項１記載の情報記録媒体。
【請求項７】
上記メイン情報が分配して記録される複数枚を１組とする情報記録媒体であって、
上記メイン情報が各書き込み面に分配して記録されることにより、上記メイン情報が記録された書き込み面を示すアドレス情報として意味を持たせた上記付加情報が埋め込まれていることを特徴とする請求項１記載の情報記録媒体。
【請求項８】
メイン情報と付加情報を情報記録媒体に記録する情報記録方法であって、
上記メイン情報を情報記録媒体に記録するためのメイン情報処理ステップと、
上記メイン情報の記録位置を示すアドレス情報として意味を持たせた上記付加情報を埋め込んで上記情報記録媒体に記録するための付加情報処理ステップと、
上記付加情報処理ステップで処理された上記付加情報を、上記メイン情報処理ステップで処理された上記メイン情報に該メイン情報の記録位置を示すアドレス情報として意味を持たせて埋め込んで、上記メイン情報と付加情報を上記情報記録媒体に記録する情報記録ステップと
を有することを特徴とする情報記録方法。
【請求項９】
上記付加情報処理ステップにおいて上記メイン情報の再生及び／又は記録の動作を適応的に変化させるトリガ情報を上記付加情報として上記メイン情報に多重化して上記情報記録媒体に記録するための付加情報処理を行い、
上記情報記録ステップにより、上記メイン情報の再生及び／又は記録の動作を適応的に変化させるトリガ情報を上記付加情報として上記メイン情報に埋め込んで、上記メイン情報と付加情報を上記情報記録媒体に記録することを特徴とする請求項８記載の情報記録方法。
【請求項１０】
上記情報記録ステップにより、上記メイン情報の記録位置を示すアドレス情報の上位ビットとして意味を持たせた上記付加情報を埋め込んで、上記メイン情報と付加情報を上記情報記録媒体に記録することを特徴とする請求項８記載の情報記録方法。
【請求項１１】
複数の記録領域を切り換えて使用される情報記録媒体にメイン情報と付加情報を記録する情報記録方法であって、
上記情報記録ステップにより、上記メイン情報を各記録領域に分配して記録し、上記メイン情報が記録された記録領域を示すアドレス情報として意味を持たせた上記付加情報を埋め込んで、上記メイン情報と付加情報を上記情報記録媒体に記録することを特徴とする請求項８記載の情報記録方法。
【請求項１２】
多層の書き込み層を有する情報記録媒体にメイン情報と付加情報を記録する情報記録方法であって、
上記情報記録ステップにより、上記メイン情報が各書き込み層に分配して記録し、上記メイン情報が記録された書き込み層を示すアドレス情報として意味を持たせた上記付加情報を埋め込んで、上記メイン情報と付加情報を上記情報記録媒体に記録することを特徴とする請求項８記載の情報記録方法。
【請求項１３】
両面記録の情報記録媒体にメイン情報と付加情報を記録する情報記録方法であって、
上記情報記録ステップにより、上記メイン情報を各書き込み面に分配して記録し、上記メイン情報が記録された書き込み面を示すアドレス情報として意味を持たせた上記付加情報を埋め込んで、上記メイン情報と付加情報を上記情報記録媒体に記録することを特徴とする請求項８記載の情報記録方法。
【請求項１４】
上記メイン情報が分配して記録される複数枚を１組とする情報記録媒体にメイン情報と付加情報を記録する情報記録方法であって、
上記情報記録ステップにより、上記メイン情報を各書き込み面に分配して記録し、上記メイン情報が記録された書き込み面を示すアドレス情報として意味を持たせた上記付加情報を埋め込んで、上記メイン情報と付加情報を上記情報記録媒体に記録することを特徴とする請求項８記載の情報記録方法。
【請求項１５】
メイン情報の記録位置を示すアドレス情報として意味を持たせた付加情報が埋め込まれて情報記録媒体から、メイン情報と付加情報を再生する情報再生方法であって、
上記情報記録媒体から読み取られた再生信号からメイン情報を検出するメイン情報検出ステップと、
上記メイン情報の記録位置を示すアドレス情報として埋め込まれている上記付加情報を上記情報記録媒体から読み取られた再生信号から検出する付加情報検出ステップと、
上記メイン情報検出ステップで検出されたメイン情報に対して、上記付加情報検出ステップで検出された付加情報に応じて適応的な処理を施す適応処理ステップとを有し、
上記付加情報に応じた適応的な処理を施したメイン情報を出力することを特徴とする情報再生方法。
【請求項１６】
上記付加情報検出ステップにおいて、上記メイン情報の記録位置を示すアドレス情報として埋め込まれている上記付加情報を上記情報記録媒体から読み取られた再生信号から検出することを特徴とする請求項１５記載の情報再生方法。
【請求項１７】
複数の記録領域を切り換えて使用される情報記録媒体から、メイン情報と付加情報を再生する情報再生方法であって、
上記メイン情報検出ステップにおいて、各記録領域に分配して記録されている上記メイン情報を再生信号から検出し、
上記付加情報検出ステップにおいて、上記メイン情報が記録された記録領域を示すアドレス情報として埋め込まれている上記付加情報を上記再生信号から検出することを特徴とする請求項１５記載の情報再生方法。
【請求項１８】
多層の書き込み層を有する情報記録媒体から、メイン情報と付加情報を再生する情報再生方法であって、
上記メイン情報検出ステップにおいて、各書き込み層に分配して記録されている上記メイン情報を再生信号から検出し、
上記付加情報検出ステップにおいて、上記メイン情報が記録された書き込み層を示すアドレス情報として埋め込まれている上記付加情報を上記再生信号から検出することを特徴とする請求項１５記載の情報再生方法。
【請求項１９】
両面記録の情報記録媒体から、メイン情報と付加情報を再生する情報再生方法であって、
上記メイン情報検出ステップにおいて、各書き込み面に分配して記録されている上記メイン情報を再生信号から検出し、
上記付加情報検出ステップにおいて、上記メイン情報が記録された書き込み面を示すアドレス情報として埋め込まれている上記付加情報を上記再生信号から検出することを特徴とする請求項１５記載の情報再生方法。
【請求項２０】
上記メイン情報が分配して記録される複数枚を１組とする情報記録媒体から、メイン情報と付加情報を再生する情報再生方法であって、
上記メイン情報検出ステップにおいて、各書き込み面に分配して記録されている上記メイン情報を再生信号から検出し、
上記付加情報検出ステップにおいて、上記メイン情報が記録された書き込み面を示すアドレス情報として埋め込まれている上記付加情報を上記再生信号から検出することを特徴とする請求項１５記載の情報再生方法。
【請求項２１】
情報記録媒体を介してメイン情報と付加情報を記録再生する情報記録再生方法であって、
上記メイン情報を情報記録媒体に記録するためのメイン情報処理ステップと、
上記メイン情報の記録位置を示すアドレス情報として意味を持たせた上記付加情報を埋め込んで上記情報記録媒体に記録するための付加情報処理ステップと、
上記付加情報処理ステップで処理された上記付加情報を、上記メイン情報処理ステップで処理された上記メイン情報に該メイン情報の記録位置を示すアドレス情報として意味を持たせて埋め込んで、上記メイン情報と付加情報を上記情報記録媒体に記録する情報記録ステップと、
上記情報記録媒体から読み取られた再生信号からメイン情報を検出するメイン情報検出ステップと、
上記メイン情報の記録位置を示すアドレス情報として埋め込まれている上記付加情報を上記情報記録媒体から読み取られた再生信号から検出する付加情報検出ステップと、
上記メイン情報検出ステップで検出されたメイン情報に対して、上記付加情報検出ステップで検出された付加情報に応じて適応的な処理を施す適応処理ステップとを有し、
上記付加情報に応じた適応的な処理を施したメイン情報を出力することを特徴とする情報記録再生方法。
【請求項２２】
上記情報記録ステップにより、上記メイン情報の記録位置を示すアドレス情報の上位ビットとして意味を持たせた上記付加情報を埋め込んで、上記メイン情報と付加情報を上記情報記録媒体に記録し、
上記付加情報検出ステップにおいて、上記メイン情報の記録位置を示すアドレス情報として埋め込まれている上記付加情報を上記情報記録媒体から読み取られた再生信号から検出することを特徴とする請求項２１記載の情報記録再生方法。
【請求項２３】
複数の記録領域を切り換えて使用される情報記録媒体を介してメイン情報と付加情報を記録再生する情報記録再生方法であって、
上記情報記録ステップにより、上記メイン情報を各記録領域に分配して記録し、上記メイン情報が記録された記録領域を示すアドレス情報として意味を持たせた上記付加情報を埋め込んで、上記メイン情報と付加情報を上記情報記録媒体に記録し、
上記メイン情報検出ステップにおいて、各記録領域に分配して記録されている上記メイン情報を再生信号から検出し、
上記付加情報検出ステップにおいて、上記メイン情報が記録された記録領域を示すアドレス情報として埋め込まれている上記付加情報を上記再生信号から検出することを特徴とする請求項２１記載の情報記録再生方法。
【請求項２４】
多層の書き込み層を有する情報記録媒体を介してメイン情報と付加情報を記録する情報記録方法であって、
上記情報記録ステップにより、上記メイン情報が各書き込み層に分配して記録し、上記メイン情報が記録された書き込み層を示すアドレス情報として意味を持たせた上記付加情報を埋め込んで、上記メイン情報と付加情報を上記情報記録媒体に記録し、
上記メイン情報検出ステップにおいて、各書き込み層に分配して記録されている上記メイン情報を再生信号から検出し、
上記付加情報検出ステップにおいて、上記メイン情報が記録された書き込み層を示すアドレス情報として埋め込まれている上記付加情報を上記再生信号から検出することを特徴とする請求項２１記載の情報記録再生方法。
【請求項２５】
両面記録の情報記録媒体を介してメイン情報と付加情報を記録再生する情報記録再生方法であって、
上記情報記録ステップにより、上記メイン情報を各書き込み面に分配して記録し、上記メイン情報が記録された書き込み面を示すアドレス情報として意味を持たせた上記付加情報を埋め込んで、上記メイン情報と付加情報を上記情報記録媒体に記録し、
上記メイン情報検出ステップにおいて、各書き込み面に分配して記録されている上記メイン情報を再生信号から検出し、
上記付加情報検出ステップにおいて、上記メイン情報が記録された書き込み面を示すアドレス情報として埋め込まれている上記付加情報を上記再生信号から検出することを特徴とする請求項２１記載の情報記録再生方法。
【請求項２６】
上記メイン情報が分配して記録される複数枚を１組とする情報記録媒体を介してメイン情報と付加情報を記録再生する情報記録再生方法であって、
上記情報記録ステップにより、上記メイン情報を各書き込み面に分配して記録し、上記メイン情報が記録された書き込み面を示すアドレス情報として意味を持たせた上記付加情報を埋め込んで、上記メイン情報と付加情報を上記情報記録媒体に記録し、　上記メイン情報検出ステップにおいて、各書き込み面に分配して記録されている上記メイン情報を再生信号から検出し、
上記付加情報検出ステップにおいて、上記メイン情報が記録された書き込み面を示すアドレス情報として埋め込まれている上記付加情報を上記再生信号から検出することを特徴とする請求項２１記載の情報記録再生方法。
【請求項２７】
メイン情報と付加情報を情報記録媒体に記録する情報記録装置であって、
上記メイン情報を情報記録媒体に記録するためのメイン情報処理手段と、
上記メイン情報の記録位置を示すアドレス情報として意味を持たせた上記付加情報を埋め込んで上記情報記録媒体に記録するための付加情報処理手段と、
上記付加情報処理手段により処理された上記付加情報を、上記メイン情報処理手段により処理された上記メイン情報に該メイン情報の記録位置を示すアドレス情報として意味を持たせて埋め込んで、上記メイン情報と付加情報を上記情報記録媒体に記録する情報記録手段と
を備えることを特徴とする情報記録装置。
【請求項２８】
上記付加情報処理手段により上記メイン情報の再生及び／又は記録の動作を適応的に変化させるトリガ情報を上記付加情報として上記メイン情報に多重化して上記情報記録媒体に記録するための付加情報処理を行い、
上記情報記録手段により、上記メイン情報の再生及び／又は記録の動作を適応的に変化させるトリガ情報を上記付加情報として上記メイン情報に埋め込んで、上記メイン情報と付加情報を上記情報記録媒体に記録することを特徴とする請求項２７記載の情報記録装置。
【請求項２９】
上記情報記録手段により、上記メイン情報の記録位置を示すアドレス情報の上位ビットとして意味を持たせた上記付加情報を埋め込んで、上記メイン情報と付加情報を上記情報記録媒体に記録することを特徴とする請求項２７記載の情報記録装置。
【請求項３０】
複数の記録領域を切り換えて使用される情報記録媒体にメイン情報と付加情報を記録する情報記録装置であって、
上記情報記録手段により、上記メイン情報を各記録領域に分配して記録し、上記メイン情報が記録された記録領域を示すアドレス情報として意味を持たせた上記付加情報を埋め込んで、上記メイン情報と付加情報を上記情報記録媒体に記録することを特徴とする請求項２７記載の情報記録装置。
【請求項３１】
多層の書き込み層を有する情報記録媒体にメイン情報と付加情報を記録する情報記録装置であって、
上記情報記録手段により、上記メイン情報が各書き込み層に分配して記録し、上記メイン情報が記録された書き込み層を示すアドレス情報として意味を持たせた上記付加情報を埋め込んで、上記メイン情報と付加情報を上記情報記録媒体に記録することを特徴とする請求項２７記載の情報記録装置。
【請求項３２】
両面記録の情報記録媒体にメイン情報と付加情報を記録する情報記録装置であって、
上記情報記録手段により、上記メイン情報を各書き込み面に分配して記録し、上記メイン情報が記録された書き込み面を示すアドレス情報として意味を持たせた上記付加情報を埋め込んで、上記メイン情報と付加情報を上記情報記録媒体に記録することを特徴とする請求項２７記載の情報記録装置。
【請求項３３】
上記メイン情報が分配して記録される複数枚を１組とする情報記録媒体にメイン情報と付加情報を記録する情報記録装置であって、
上記情報記録手段により、上記メイン情報を各書き込み面に分配して記録し、上記メイン情報が記録された書き込み面を示すアドレス情報として意味を持たせた上記付加情報を埋め込んで、上記メイン情報と付加情報を上記情報記録媒体に記録することを特徴とする請求項２７記載の情報記録装置。
【請求項３４】
メイン情報の記録位置を示すアドレス情報として意味を持たせた付加情報が埋め込まれて情報記録媒体から、メイン情報と付加情報を再生する情報再生装置であって、
上記情報記録媒体から読み取られた再生信号からメイン情報を検出するメイン情報検出手段と、
上記メイン情報の記録位置を示すアドレス情報として埋め込まれている上記付加情報を上記情報記録媒体から読み取られた再生信号から検出する付加情報検出手段と、
上記メイン情報検出手段により検出されたメイン情報に対して、上記付加情報検出手段により検出された付加情報に応じて適応的な処理を施す適応処理手段とを備え、
上記付加情報に応じた適応的な処理を施したメイン情報を出力することを特徴とする情報再生装置。
【請求項３５】
上記付加情報検出手段により、上記メイン情報の記録位置を示すアドレス情報として埋め込まれている上記付加情報を上記情報記録媒体から読み取られた再生信号から検出することを特徴とする請求項１記載の情報再生装置。
【請求項３６】
複数の記録領域を切り換えて使用される情報記録媒体から、メイン情報と付加情報を再生する情報再生装置であって、
上記メイン情報検出手段により、各記録領域に分配して記録されている上記メイン情報を再生信号から検出し、
上記付加情報検出手段により、上記メイン情報が記録された記録領域を示すアドレス情報として埋め込まれている上記付加情報を上記再生信号から検出することを特徴とする請求項３５記載の情報再生装置。
【請求項３７】
多層の書き込み層を有する情報記録媒体から、メイン情報と付加情報を再生する情報再生装置であって、
上記メイン情報検出手段により、各書き込み層に分配して記録されている上記メイン情報を再生信号から検出し、
上記付加情報検出手段により、上記メイン情報が記録された書き込み層を示すアドレス情報として埋め込まれている上記付加情報を上記再生信号から検出することを特徴とする請求項３５記載の情報再生装置。
【請求項３８】
両面記録の情報記録媒体から、メイン情報と付加情報を再生する情報再生装置であって、
上記メイン情報検出手段により、各書き込み面に分配して記録されている上記メイン情報を再生信号から検出し、
上記付加情報検出手段により、上記メイン情報が記録された書き込み面を示すアドレス情報として埋め込まれている上記付加情報を上記再生信号から検出することを特徴とする請求項３５記載の情報再生装置。
【請求項３９】
上記メイン情報が分配して記録される複数枚を１組とする情報記録媒体から、メイン情報と付加情報を再生する情報再生装置であって、
上記メイン情報検出手段により、各書き込み面に分配して記録されている上記メイン情報を再生信号から検出し、
上記付加情報検出手段により、上記メイン情報が記録された書き込み面を示すアドレス情報として埋め込まれている上記付加情報を上記再生信号から検出することを特徴とする請求項３５記載の情報再生装置。
【請求項４０】
情報記録媒体を介してメイン情報と付加情報を記録再生する情報記録再生装置であって、
上記メイン情報を情報記録媒体に記録するためのメイン情報処理手段と、
上記メイン情報の記録位置を示すアドレス情報として意味を持たせた上記付加情報を埋め込んで上記情報記録媒体に記録するための付加情報処理手段と、
上記付加情報処理手段により処理された上記付加情報を、上記メイン情報処理手段により処理された上記メイン情報に該メイン情報の記録位置を示すアドレス情報として意味を持たせて埋め込んで、上記メイン情報と付加情報を上記情報記録媒体に記録する情報記録手段と
上記情報記録媒体から読み取られた再生信号からメイン情報を検出するメイン情報検出手段と、
上記メイン情報の記録位置を示すアドレス情報として埋め込まれている上記付加情報を上記情報記録媒体から読み取られた再生信号から検出する付加情報検出手段と、
上記メイン情報検出手段により検出されたメイン情報に対して、上記付加情報検出手段により検出された付加情報に応じて適応的な処理を施す適応処理手段とを備え、
上記付加情報に応じた適応的な処理を施したメイン情報を出力することを特徴とする情報記録再生装置。
【請求項４１】
上記情報記録手段により、上記メイン情報の記録位置を示すアドレス情報の上位ビットとして意味を持たせた上記付加情報を埋め込んで、上記メイン情報と付加情報を上記情報記録媒体に記録し、
上記付加情報検出手段により、上記メイン情報の記録位置を示すアドレス情報として埋め込まれている上記付加情報を上記情報記録媒体から読み取られた再生信号から検出することを特徴とする請求項４０記載の情報記録再生装置。
【請求項４２】
複数の記録領域を切り換えて使用される情報記録媒体を介してメイン情報と付加情報を記録再生する情報記録再生装置であって、
上記情報記録手段により、上記メイン情報を各記録領域に分配して記録し、上記メイン情報が記録された記録領域を示すアドレス情報として意味を持たせた上記付加情報を埋め込んで、上記メイン情報と付加情報を上記情報記録媒体に記録し、
上記メイン情報検出手段により、各記録領域に分配して記録されている上記メイン情報を再生信号から検出し、
上記付加情報検出手段により、上記メイン情報が記録された記録領域を示すアドレス情報として埋め込まれている上記付加情報を上記再生信号から検出することを特徴とする請求項４０記載の情報記録再生装置。
【請求項４３】
多層の書き込み層を有する情報記録媒体を介してメイン情報と付加情報を記録する情報記録装置であって、
上記情報記録手段により、上記メイン情報が各書き込み層に分配して記録し、上記メイン情報が記録された書き込み層を示すアドレス情報として意味を持たせた上記付加情報を埋め込んで、上記メイン情報と付加情報を上記情報記録媒体に記録し、
上記メイン情報検出手段により、各書き込み層に分配して記録されている上記メイン情報を再生信号から検出し、
上記付加情報検出手段により、上記メイン情報が記録された書き込み層を示すアドレス情報として埋め込まれている上記付加情報を上記再生信号から検出することを特徴とする請求項４０記載の情報記録再生装置。
【請求項４４】
両面記録の情報記録媒体を介してメイン情報と付加情報を記録再生する情報記録再生装置であって、
上記情報記録手段により、上記メイン情報を各書き込み面に分配して記録し、上記メイン情報が記録された書き込み面を示すアドレス情報として意味を持たせた上記付加情報を埋め込んで、上記メイン情報と付加情報を上記情報記録媒体に記録し、
上記メイン情報検出手段により、各書き込み面に分配して記録されている上記メイン情報を再生信号から検出し、
上記付加情報検出手段により、上記メイン情報が記録された書き込み面を示すアドレス情報として埋め込まれている上記付加情報を上記再生信号から検出することを特徴とする請求項４０記載の情報記録再生装置。
【請求項４５】
上記メイン情報が分配して記録される複数枚を１組とする情報記録媒体を介してメイン情報と付加情報を記録再生する情報記録再生装置であって、
上記情報記録手段により、上記メイン情報を各書き込み面に分配して記録し、上記メイン情報が記録された書き込み面を示すアドレス情報として意味を持たせた上記付加情報を埋め込んで、上記メイン情報と付加情報を上記情報記録媒体に記録し、
上記メイン情報検出手段により、各書き込み面に分配して記録されている上記メイン情報を再生信号から検出し、
上記付加情報検出手段により、上記メイン情報が記録された書き込み面を示すアドレス情報として埋め込まれている上記付加情報を上記再生信号から検出することを特徴とする請求項４０記載の情報記録再生装置。
【発明の詳細な説明】
【０００１】
【発明の属する技術分野】
本発明は、音楽や映像等の各種コンテンツからなるメイン情報と付加情報が記録された情報記録媒体、その情報記録／再生方法並びに情報記録／再生装置に関する。
【０００２】
【従来の技術】
音楽や映像等の各種コンテンツの電子化情報は、近年、機器の多機能化や高性能化或いは高容量処理化等の開発促進、画像圧縮技術等の処理技術の向上、インターネット等による利用環境の整備或いは処理速度や通信速度の向上等によって利用促進が図られている。電子化情報は、例えば機器内に備えられたハードディスクや半導体メモリ等の固定記憶手段或いは機器に挿脱操作されて持ち運び自在な光ディスクや光磁気ディスク、磁気ディスク等の可搬型記録媒体（以下、情報記録媒体と総称する。）に記録され、情報再生装置や情報記録再生装置（以下、情報記録再生装置と総称する。）よって再生されるとともに適宜の記録手段に記録される。
【０００３】
情報記録媒体は、一般に記録領域がメイン情報を記録するメイン情報記録領域と制御信号等を記録する所定の制御信号記録領域とにフォーマット化され、メイン情報記録領域に対してメイン情報を記録する際にその記録位置や時間或いは記録方法等の制御情報が制御信号記録領域に記録される。従来の情報記録媒体は、ユーザが情報記録再生装置によってメイン情報を再生する際に、制御信号記録領域から制御信号が読み出されて個々のメイン情報が一義的に制御されて再生が行われる。したがって、従来の情報記録媒体においては、上述した条件に基づいて固定した情報としてメイン情報が記録されていた。
【０００４】
ところで、各種の電子化情報には、例えば音楽情報や映像情報或いはゲームソフト情報等のように、所定のプロバイダに対してユーザが有線や無線等の通信手段を介して配信要求アクセスを行うことにより有償で提供される配信サービスも行われている。かかる情報配信システムは、所定の手続きを経ることによりプロバイダ側からユーザに対して、接続されたパーソナルコンピュータや携帯情報端末機（ＰＤＡ：Ｐｅｒｓｏｎａｌ　Ｄｉｇｉｔａｌ　Ａｓｓｉｓｔａｎｔ）或いは携帯電話機等の端末機器に対して要求のあったコンテンツ情報が供給され、適宜の情報記録媒体に記録される。情報記録媒体は、配信されたコンテンツについて所定の形式により固定情報として記録する。
【０００５】
一方、音楽情報や映像情報等のコンテンツは、例えばＣＤ−Ｒ（Ｃｏｍｐａｃｔ　Ｄｉｓｃ−Ｒｅｃｏｒｄａｂｌｅ）に記録されてユーザに提供されている。ＣＤ−Ｒは、例えばある歌手のアルバムＣＤ−Ｒであって収録されていない新譜等について、上述した情報配信システムを利用して入手しこれを追加して記録するといった使用形態も可能である。ＣＤ−Ｒは、固定情報として音楽情報や映像情報等を記録するが、アドレス情報等に基づいて情報記録再生装置側での設定操作により、再生順序を変えて任意に再生することが可能とされる。勿論、ＣＤ−Ｒは、制御信号記録領域に記録される制御信号について規定化されており、例えば再生順序を自動的に選択するような任意の制御信号等を記録することはできない。
【０００６】
【発明が解決しようとする課題】
ところで、上述の如き光ディスク、磁気ディスク、光磁気ディスクなどの情報記録媒体を介して情報の記録／再生を行う情報記録／再生システムでは、情報記録媒体上の記録位置などを管理するための管理情報のための記録領域やメイン情報のための記録領域を個別に確保した所定の記録フォーマットが採用されており、さらに、メイン情報に関連する付加情報、例えばメイン情報の識別情報、リンク情報や履歴情報などを記録する場合、一般的に、上記メイン情報用の記録領域と付加情報用の記録領域を個別の記録領域として予め確保しておいたり、あるいは、付加情報を記録する毎に新たに付加情報用の記録領域を確保するようにしていたので、音楽や映像等の各種コンテンツからなるメイン情報を記録する情報記録媒体に上記メイン情報に関連する付加情報を記録する場合に、メイン情報用の記録領域と付加情報用の記録領域とを個別に確保する必要があり、上記メイン情報用の記録領域が少なくなるという問題点があった。
【０００７】
また、従来の情報記録／再生システムでは、複数の情報を統合して記録することを行っていなかったため、定義した情報に応じて情報記録再生装置の動作を適応的に変化させることはできなかった。例えば、音楽を記録再生する情報記録媒体として実用化されている音楽用ＣＤ−Ｒについて考えてみると、情報記録媒体は共通仕様であり、また、メイン情報すなわち書き込まれた音楽データに関する付加情報例えば識別情報は乏しい。そのため、情報記録媒体毎や音楽毎に記録再生方法を適応的に変化させることは困難であった。
【０００８】
そこで、本発明の目的は、上述の如き従来の問題点に鑑み、メイン情報用の記録領域を削減することなく、音楽や映像等の各種コンテンツからなるメイン情報とともに付加情報を記録及び／又は再生可能なデータ構造を有する情報記録媒体、上記情報記録媒体を介してメイン情報及び付加情報の記録及び／又は再生を行う情報記録方法、情報再生方法、情報記録再生方法、情報記録装置、情報再生装置、並びに情報記録再生装置を提供することにある。
【０００９】
また、本発明の目的は、上記情報記録媒体を使用して付加情報に応じて上記メイン情報に適応的な処理を施す情報再生方法、情報記録再生方法、情報再生装置、並びに情報記録再生装置を提供することにある。
【００１０】
【課題を解決するための手段】
本発明は、メイン情報と付加情報が記録された情報記録媒体であって、上記メイン情報の記録位置を示すアドレス情報として意味を持たせた上記付加情報が埋め込まれていることを特徴とする。
【００１１】
また、本発明は、メイン情報と付加情報を情報記録媒体に記録する情報記録方法であって、上記メイン情報を情報記録媒体に記録するためのメイン情報処理ステップと、上記メイン情報の記録位置を示すアドレス情報として意味を持たせた上記付加情報を埋め込んで上記情報記録媒体に記録するための付加情報処理ステップと、上記付加情報処理ステップで処理された上記付加情報を、上記メイン情報処理ステップで処理された上記メイン情報に該メイン情報の記録位置を示すアドレス情報として意味を持たせて埋め込んで、上記メイン情報と付加情報を上記情報記録媒体に記録する情報記録ステップとを有することを特徴とする。
【００１２】
また、本発明は、メイン情報の記録位置を示すアドレス情報として意味を持たせた付加情報が埋め込まれて情報記録媒体から、メイン情報と付加情報を再生する情報再生方法であって、上記情報記録媒体から読み取られた再生信号からメイン情報を検出するメイン情報検出ステップと、上記メイン情報の記録位置を示すアドレス情報として埋め込まれている上記付加情報を上記情報記録媒体から読み取られた再生信号から検出する付加情報検出ステップと、上記メイン情報検出ステップで検出されたメイン情報に対して、上記付加情報検出ステップで検出された付加情報に応じて適応的な処理を施す適応処理ステップとを有し、上記付加情報に応じた適応的な処理を施したメイン情報を出力することを特徴とする。
【００１３】
また、本発明は、情報記録媒体を介してメイン情報と付加情報を記録再生する情報記録再生方法であって、上記メイン情報を情報記録媒体に記録するためのメイン情報処理ステップと、上記メイン情報の記録位置を示すアドレス情報として意味を持たせた上記付加情報を埋め込んで上記情報記録媒体に記録するための付加情報処理ステップと、上記付加情報処理ステップで処理された上記付加情報を、上記メイン情報処理ステップで処理された上記メイン情報に該メイン情報の記録位置を示すアドレス情報として意味を持たせて埋め込んで、上記メイン情報と付加情報を上記情報記録媒体に記録する情報記録ステップと、上記情報記録媒体から読み取られた再生信号からメイン情報を検出するメイン情報検出ステップと、上記メイン情報の記録位置を示すアドレス情報として埋め込まれている上記付加情報を上記情報記録媒体から読み取られた再生信号から検出する付加情報検出ステップと、上記メイン情報検出ステップで検出されたメイン情報に対して、上記付加情報検出ステップで検出された付加情報に応じて適応的な処理を施す適応処理ステップとを有し、上記付加情報に応じた適応的な処理を施したメイン情報を出力することを特徴とする。
【００１４】
また、本発明は、メイン情報と付加情報を情報記録媒体に記録する情報記録装置であって、上記メイン情報を情報記録媒体に記録するためのメイン情報処理手段と、上記メイン情報の記録位置を示すアドレス情報として意味を持たせた上記付加情報を埋め込んで上記情報記録媒体に記録するための付加情報処理手段と、上記付加情報処理手段により処理された上記付加情報を、上記メイン情報処理手段により処理された上記メイン情報に該メイン情報の記録位置を示すアドレス情報として意味を持たせて埋め込んで、上記メイン情報と付加情報を上記情報記録媒体に記録する情報記録手段とを備えることを特徴とする。
【００１５】
また、本発明は、メイン情報の記録位置を示すアドレス情報として意味を持たせた付加情報が埋め込まれて情報記録媒体から、メイン情報と付加情報を再生する情報再生装置であって、上記情報記録媒体から読み取られた再生信号からメイン情報を検出するメイン情報検出手段と、上記メイン情報の記録位置を示すアドレス情報として埋め込まれている上記付加情報を上記情報記録媒体から読み取られた再生信号から検出する付加情報検出手段と、上記メイン情報検出手段により検出されたメイン情報に対して、上記付加情報検出手段により検出された付加情報に応じて適応的な処理を施す適応処理手段とを備え、上記付加情報に応じた適応的な処理を施したメイン情報を出力することを特徴とする。
【００１６】
さらに、本発明は、情報記録媒体を介してメイン情報と付加情報を記録再生する情報記録再生装置であって、上記メイン情報を情報記録媒体に記録するためのメイン情報処理手段と、上記メイン情報の記録位置を示すアドレス情報として意味を持たせた上記付加情報を埋め込んで上記情報記録媒体に記録するための付加情報処理手段と、上記付加情報処理手段により処理された上記付加情報を、上記メイン情報処理手段により処理された上記メイン情報に該メイン情報の記録位置を示すアドレス情報として意味を持たせて埋め込んで、上記メイン情報と付加情報を上記情報記録媒体に記録する情報記録手段と上記情報記録媒体から読み取られた再生信号からメイン情報を検出するメイン情報検出手段と、上記メイン情報の記録位置を示すアドレス情報として埋め込まれている上記付加情報を上記情報記録媒体から読み取られた再生信号から検出する付加情報検出手段と、上記メイン情報検出手段により検出されたメイン情報に対して、上記付加情報検出手段により検出された付加情報に応じて適応的な処理を施す適応処理手段とを備え、上記付加情報に応じた適応的な処理を施したメイン情報を出力することを特徴とする。
【００１７】
【発明の実施の形態】
以下、本発明の実施の形態について、図面を参照して詳細に説明する。
【００１８】
本発明は、例えば図１に示すような構成の情報記録再生装置１０に適用される。
【００１９】
この情報記録再生装置１０は、操作部１１、この操作部１１に接続された制御部１２、この制御部１２に接続された外部入出力部１３、情報記録部１４及び情報再生部１６、上記情報記録部１４及び情報再生部１６によりメイン情報と付加情報が記録及び／再生される多層の情報記録媒体１５からなる。
【００２０】
操作部１１は、操作を行うためのユーザーインターフェイス及びシステムの状態を表す表示装置等で構成される。操作部１１は、制御部１２から入力された制御信号に応じてシステム状態の表示及びユーザーインターフェイスの状態変更を行い、また、ユーザーの操作に応じた操作信号を制御部１２に出力する。
【００２１】
制御部１２は、操作部１１から入力された操作信号、及び、外部入出力部１３，情報記録部１４，情報再生部１６から入力されたステータス信号を基に制御信号を発生し、操作部１１，外部入出力部１３，情報記録部１４，情報再生部１６に出力する。
【００２２】
外部入出力部１３は、外部の機器とのインターフェイスであり、制御部１２から入力された制御信号に応じて外部と信号の授受を行う。外部入出力部１３は、外部から入力された信号を情報再生部１６に出力し、並びに、情報再生部１６から入力された信号を外部に出力する。また、外部入出力部１３の状態を表すステータス信号を制御部１２に出力する。
【００２３】
情報記録部１４は、制御部１２から入力された制御信号に応じて、外部から入力されたメイン情報と付加情報を情報記録媒体１５に記録する。また、情報記録部１４の状態を表すステータス信号を制御部１２に出力する。
【００２４】
情報再生部１６は、制御部１２から入力された制御信号に応じて、情報記録媒体１５並びに外部入出力部１３からメイン情報と付加情報を読み込み、読み込んだ付加情報に応じてメイン情報に対して適応的な処理を施し、適応処理済みのメイン情報を出力する。
【００２５】
次に、各部の詳細について説明する。なお、以下説明で用いるブロック図内の各部は、それぞれ制御部１２と制御信号並びにステータス信号の授受を行っているが、図が煩雑になるために省略する。
【００２６】
外部入出力部１３の構成例を図２のブロック図に示す。
【００２７】
この図２に示す構成例の外部入出力部１３は、通信部３１とバッファ部３２からなる。
【００２８】
この外部入出力部１３において、通信部３１は、外部のネットワーク３３、例えばインターネット網と通信する機能を備え、外部のネットワーク３３と信号を授受を行う。また、バッファ部３２は、外部と内部で信号を授受する際に生じる時間的なずれの影響を考慮して用意され、入力された信号を一時的に記憶し、出力する機能を備える。
【００２９】
また、外部入出力部１３の別の構成例を図３のブロック図に示す。
【００３０】
この図３に示す構成例の外部入出力部１３は、外部機器接続部４１とバッファ部４２からなる。
【００３１】
この外部入出力部１３において、外部機器接続部４１は、外部の機器、例えば携帯型記録再生装置を接続して通信する機能を備え、外部機器４３と信号の授受を行う。バッファ部４２は、外部と内部で信号を授受する際に生じる時間的なずれの影響を考慮して用意され、入力された信号を一時的に記憶し、出力する機能を備える。
【００３２】
ここで、外部入出力部１３は、通信部３１や外部機器接続部４１を複数持つ構成も可能で、また、通信部３１と外部機器接続部４１を組み合わせて持つ構成とすることも可能である。
【００３３】
次に、情報記録部１４の具体的な構成例を図４のブロック図に示す。
【００３４】
この図４に示す構成例の情報記録部１４は、メイン情報が入力されるメイン情報処理部５１、付加情報が入力される付加情報処理部５２、上記メイン情報処理部５１により処理されたメイン情報と上記付加情報処理部５２により処理された付加情報が供給される情報記録処理部５６からなる。
【００３５】
この情報記録部１４において、メイン情報処理部５１は、メイン情報を記録マークとして情報記録媒体１５に記録するためのメイン情報処理を行うものであって、メイン情報をメイン情報符号化データに変換して情報記録処理部５６に供給する。
【００３６】
また、付加情報処理部５２は、情報記録媒体１５に記録されるメイン情報の記録位置を示すアドレス情報として意味を持たせた付加情報を埋め込んで上記情報記録媒体１５に記録するための付加情報処理を行うものであって、付加情報を情報記録媒体１５に記録されるメイン情報の書き込みアドレス情報に変換して上記情報記録処理部５６に供給する。
【００３７】
この付加情報処理部５２は、付加情報が入力される付加情報符号化部５３、この付加情報符号化部５３から付加情報符号化データが供給される付加情報符号化データ／書き込み層変換部５４、付加情報符号化データ／書き込み層変換部５４から書き込み層制御信号が供給される書き込みアドレス決定部５５からなる。
【００３８】
この付加情報処理部５２では、メイン情報の付加情報が付加情報符号化部５３により符号化されて付加情報符号化データ／書き込み層変換部５４に供給される。付加情報符号化データ／書き込み層変換部５４は、上記メイン情報の付加情報を当該メイン情報を書き込む情報記録媒体１５の書き込み層を示す書き込み層制御信号に変換して書き込みアドレス決定部５５に供給する。
【００３９】
ここで、もしも上記書き込み層制御信号により指定される情報記録媒体１５の書き込み層に空き領域がないときは、付加情報も情報記録媒体１５に記録する従来の付加情報記録モードの動作に移る。このときヘッダには、付加情報の記録状態が従来のモードであることをあらわす信号が記録され、符号化された付加情報は上記情報記録処理部５６において情報記録媒体１５に書き込まれる。
【００４０】
一方、情報記録媒体１５に空き領域があるときは、付加情報符号化部５３において符号化された付加情報符号化データに応じて、付加情報符号化データ書き込み層変換部５４において書き込み層制御信号を生成する。なお、付加情報符号化データからアドレスに変換するテーブル方式などを採用することもできる。
【００４１】
そして、書き込みアドレス決定部５５では、上記付加情報符号化データ／書き込み層変換部５４から供給される書き込み層制御信号と、情報記録媒体１５のＴＯＣ情報など情報記録媒体１５の空き領域情報に基づいて、上記情報記録媒体１５に書き込むメイン情報の最終的な書き込みアドレスを決定する。
【００４２】
上記情報記録処理部５６は、上記メイン情報を各書き込み層に分配して記録することにより、上記メイン情報が記録された書き込み層を示すアドレス情報として意味を持たせた上記付加情報を埋め込んで、上記メイン情報と当該メイン情報の付加情報を上記多層書き込み層の情報記録媒体１５に記録する処理を行うものであって、上記付加情報処理部５２で処理された上記付加情報に基づく書き込みアドレスに、上記メイン情報処理部５１にて符号化されたメイン情報符号化データを記録マークとして上記情報記録媒体１５に実際に記録する。
【００４３】
このような構成の上記情報記録部１４では、図５のフローチャートに示す手順に従って、メイン情報の記録位置を示すアドレス情報として意味を持たせた情報として付加情報を埋め込んで情報記録媒体１５に記録する。
【００４４】
すなわち、上記情報記録部１４は、付加情報を記録するに当たり、まず、情報記録媒体１５の各書き込み層の空き領情報を取得する（ステップＳ１）。そして、取得した空き領情報に基づいてメイン情報の書き込み領域があるか否かを判定する（ステップＳ２）。
【００４５】
上記ステップＳ２における判定結果がＮＯすなわち空き領情報がない場合には、ヘッダに付加情報の記録方式をセットする（ステップＳ６）。
【００４６】
そして、上記付加情報符号化データ／書き込み層変換部５４から供給される書き込み層制御信号に応じて書き込みアドレス決定部５５によりメイン情報を書き込む情報記録媒体１５の書き込み層を設定し（ステップＳ７）、設定した書き込み層におけるメイン情報の書き込みアドレスを設定して（ステップＳ８）、メイン情報のを記録する（ステップＳ９）。
【００４７】
このようにして上記情報記録媒体１５に記録されるメイン情報は、図６に示すように、上記メイン情報の付加情報に応じて複数の書き込み層１５Ａ，１５Ｂ・・・１５Ｎに分配して記録される。上記情報記録媒体１５の各書き込み層１５Ａ，１５Ｂ・・・１５Ｎへの上記メイン情報の分配状態にて当該メイン情報の付加情報を示すことができる。
【００４８】
すなわち、上記メイン情報が各書き込み層に分配して記録することにより、上記メイン情報が記録された書き込み層を示すアドレス情報として意味を持たせた上記付加情報を埋め込んで、メイン情報と上記メイン情報の付加情報を情報記録媒体１５に記録することができる。
【００４９】
ここで、この情報記録再生装置１０では、上記付加情報として、上記メイン情報の再生及び／又は記録の動作を適応的に変化させるためのトリガ情報として用いられるコーデック特徴量、識別情報、履歴情報、リンク情報や暗号鍵などを上記メイン情報に多重化して情報記録媒体１５に記録するものとする。
【００５０】
また、この情報記録再生装置１０における情報再生部１４は、図７のブロック図に示すように、上記情報記録媒体１５から再生データを読み取って、メイン情報と付加情報に分離する情報分離部６１、上記情報分離部６１により分離されたメイン情報に付加情報に応じた適応処理を施す適応処理部６２、この適応処理部６２により適応処理が施されたメイン情報から再生信号を生成する再生処理部６３からなる。
【００５１】
この図７のブロック図に示す情報再生部１４において、情報分離部６１は、情報記録媒体１５に記録されている情報を読み出してメイン情報と付加情報に分離し、それぞれ適応処理部６２に出力する。また、適応処理部６２は、情報分離部６１から入力される付加情報及び／又は外部入出力部１３から入力される制御情報に応じて、上記情報分離部６１から入力されるメイン情報並びに外部入出力部１３から入力される入力情報に対して適応的な処理を行い、処理結果のメイン情報を情報再生処理部６４に出力する。また、この適応処理部６２は、入力された付加情報をそのまま若しくは更新して出力する。そして、再生処理部６３は、適応処理部６２から入力されたメイン情報から再生信号を生成する。
【００５２】
ここで、上記情報分離部６１の具体的な構成例を図８のブロック図に示す。
【００５３】
この図８に示す構成例の情報分離部６１は、上記情報記録媒体１５から再生データを読み取るデータ読み出し部７１、このデータ読み出し部７１により読み取った再生データが供給されるデータ解析部７２、このデータ解析部７２からメイン情報成分が供給されるメイン情報復号処理部７３、上記データ解析部７２からアドレス情報が供給されるアドレス解析部７４、このアドレス解析部７４から書き込み層情報が供給される書き込み層／付加情報符号化データ変換部７５、この書き込み層／付加情報符号化データ変換部７５から付加情報符号化データが供給される付加情報復号処理部７６からなる。
【００５４】
この情報分離部６１において、データ読み出し部７１により読み出された再生データは、データ解析部７２によりメイン情報とアドレス情報に分離される。そして、メイン情報は、メイン情報復号処理部７３にて復号化される。また、アドレス情報は、アドレス解析部７４により書き込み層情報が抽出され、この書き込み層情報が書き込み層／付加情報符号化データ変換部７５により付加情報符号化データに変換され、さらに、付加情報符号化データが付加情報復号処理部７６により復号される。
【００５５】
この情報分離部６１は、図９のフローチャートに示す手順に従った処理により、情報記録媒体１５に記録されている情報を読み出してメイン情報と付加情報に分離して適応処理部６２に供給する。
【００５６】
すなわち、データ解析部７２において、上記情報記録媒体１５からデータ読み出し部７１により読み取った再生データからアドレス情報を抽出して（ステップＳ１１）、ヘッダ情報を解析し（ステップＳ１２）、付加情報も記録されているか否かを判定する（ステップＳ１３）。
【００５７】
そして、上記ステップＳ１３における判定結果がＹＥＳすなわち従来方式で付加情報が記録されていた場合には、上記情報記録媒体１５からデータ読み出し部７１により読み取った再生データから付加情報を復号する処理を付加情報復号処理部７６にて行う（ステップＳ１４）。
【００５８】
また、上記ステップＳ１３における判定結果がＮＯすなわち上記メイン情報が記録された書き込み層を示すアドレス情報として意味を持たせた上記付加情報を埋め込んで記録されている場合には、上記情報記録媒体１５からデータ読み出し部７１により読み取った再生データからメイン情報を復号する処理をメイン情報復号処理部７３にて行う（ステップＳ１５）。また、アドレス解析部７４によりアドレス情報を解析し（ステップＳ１６）、書き込み層情報を抽出する（ステップＳ１７）。
【００５９】
そして、この書き込み層情報を書き込み層／付加情報符号化データ変換部７５により付加情報符号化データに変換して（ステップＳ１８）、付加情報符号化データを付加情報復号処理部７６により復号する（ステップＳ１９）。
【００６０】
またアドレス解析部７４にて抽出されたアドレス情報にて次の読み出しデータ位置が決定し、その情報に基づいてデータ読み出し部７１に次のデータを読み込むためのアドレス情報が渡され、次のデータの読み出し動作が行われる。
【００６１】
さらに、この情報記録再生装置１０における適応処理部６２では、情報分離部６１において再生データから分離されたメイン情報について、例えば、スケーラビリティの実現、権限の付加、別機能の付加、特化処理あるいは圧縮処理など適応処理を上記情報分離部６１において再生データから分離された付加情報に基づいて行う。
【００６２】
このような構成の情報記録再生装置１０では、音楽や映像等の各種コンテンツからなるメイン情報が記録された書き込み層を示すアドレス情報として意味を持たせた上記メイン情報の付加情報を埋め込んでいるので、メイン情報用の記録領域を削減することなく、音楽や映像等の各種コンテンツからなるメイン情報とともにメイン情報に関連する付加情報を記録することができる。
【００６３】
また、上記情報記録再生装置１０では、メイン情報が記録された書き込み層を示すアドレス情報として意味を持たせた上記メイン情報の付加情報を埋め込んでいる多層書き込み層の情報記録媒体１５からメイン情報と付加情報を再生して、上記メイン情報に対して上記付加情報に応じた適応的な処理を施すことができる。
【００６４】
なお、この実施の形態では、情報記録部１４と情報再生部１６備える情報記録再生装置１０に本発明を適用したが、上記情報再生部１６を省略した情報記録装置と、上記情報記録部１４を省略した情報再生装置を個別に構成するようにしてもよく、また、上記情報記録装置と情報再生装置にて情報記録再生システムを構築するようにしてもよい。
【００６５】
また、本発明は、例えば図１０に示すような構成の情報記録再生装置２０に適用される。
【００６６】
この情報記録再生装置２０は、操作部２１、この操作部２１に接続された制御部２２、この制御部２２に接続された外部入出力部２３、情報記録部２４及び情報再生部２６、上記情報記録部２４及び情報再生部２６によりメイン情報と付加情報が記録及び／再生される情報記録媒体２５からなる。
【００６７】
操作部２１は、操作を行うためのユーザーインターフェイス及びシステムの状態を表す表示装置等で構成される。操作部２１は、制御部２２から入力された制御信号に応じてシステム状態の表示及びユーザーインターフェイスの状態変更を行い、また、ユーザーの操作に応じた操作信号を制御部２２に出力する。
【００６８】
制御部２２は、操作部２１から入力された操作信号、及び、外部入出力部２３，情報記録部２４，情報再生部２６から入力されたステータス信号を基に制御信号を発生し、操作部２１，外部入出力部２３，情報記録部２４，情報再生部２６に出力する。
【００６９】
外部入出力部２３は、外部の機器とのインターフェイスであり、制御部２２から入力された制御信号に応じて外部と信号の授受を行う。外部入出力部２３は、外部から入力された信号を情報再生部２６に出力し、並びに、情報再生部２６から入力された信号を外部に出力する。また、外部入出力部２３の状態を表すステータス信号を制御部２２に出力する。
【００７０】
情報記録部２４は、制御部２２から入力された制御信号に応じて、情報再生部２６から入力されたメイン情報と付加情報を情報記録媒体２５に記録する。また、情報記録部２４の状態を表すステータス信号を制御部２２に出力する。
【００７１】
情報再生部２６は、制御部２２から入力された制御信号に応じて、情報記録媒体２５並びに外部入出力部２３からメイン情報と付加情報を読み込み、読み込んだ付加情報に応じてメイン情報に対して適応的な処理を行い、また、付加情報の更新も行う。適応処理後は、メイン信号が再生可能であるとともに、メイン情報及び付加情報を情報記録部２４並びに外部入出力部２３に出力する。また、情報再生部２６の状態を表すステータス信号を制御部２２に出力する。
【００７２】
このような構成の情報記録再生装置２０では、メイン情報が記録された書き込み層を示すアドレス情報として意味を持たせた上記メイン情報の付加情報を埋め込んでいる多層書き込み層の情報記録媒体２５からメイン情報と付加情報を再生して、上記メイン情報に対して上記付加情報に応じた適応的な処理を施して出力するとともに、上記適応的な処理を施したメイン情報に関連する付加情報を上記メイン情報が記録された書き込み層を示すアドレス情報として意味を持たせて埋め込んで、多層書き込み層の情報記録媒体２５に記録することができる。
【００７３】
ここで、この情報記録再生装置２０では、上記付加情報として、例えば図１１に示すように、情報記録媒体２５に属する識別情報とメイン情報に属する識別情報を含み、上記メイン情報の記録及び／又は再生の動作を適応的に変化させるトリガ情報が記録される。
【００７４】
情報記録媒体２５に属する識別情報としては、情報記録媒体２５の識別情報、グレード識別情報や記録／更新可否情報などのユーザ権限情報、所有者の識別情報等が含まれる。
【００７５】
また、メイン情報に属する識別情報としては、コンテンツの識別情報、アーティストや会社の識別別情報等のコンテンツの著作権情報、コンテンツの品質情報などが含まれる。
【００７６】
そして、この情報記録再生装置２０では、例えば図１２のフローチャートに示す手順に従って、付加情報に情報記録媒体２５に属する識別情報として含まれるユーザ権限情報に基づいて、コンテンツを外部から取得して上記情報記録媒体２５に記録する処理を行う。
【００７７】
この図１２のフローチャートにおいて、ステップＳ２１では、情報記録再生装置２０の情報再生部２６の付加情報復号処理部７６において、情報記録媒体２５からユーザ権限情報（トリガ情報１）を読み出す。
【００７８】
次のステップＳ２２において、情報記録再生装置２０は、外部入出力部２３を介して外部機器からコンテンツ（メイン情報）とコンテンツの著作権情報（トリガ情報２）が入力される。
【００７９】
次のステップＳ２３では、情報再生部２６の適応処理部６２において、外部機器から入力されたコンテンツが情報記録媒体２５に記録可能か否かをトリガ情報１すなわちユーザ権限情報とトリガ情報２すなわち著作権情報を基に判定する。
【００８０】
そして、上記ステップＳ２３において記録可能と判定された場合は、ステップＳ２４において、外部機器から入力されたメイン情報とトリガ情報２を情報記録部２４により情報記録媒体２５に書き込んで処理を終了する。
【００８１】
また、上記ステップＳ２３において記録不可と判定された場合は、ステップＳ２５において、ユーザにその旨を通知し、記録を行わずに処理を終了する。
【００８２】
この情報記録再生装置２０では、このように情報記録媒体２５に記録されているユーザ権限情報に基づいて、コンテンツを外部から取得して上記情報記録媒体２５に記録することができる。したがって、情報の記録可能な空の情報記録媒体２５を販売する際に、予め情報記録媒体２５にユーザー権限情報を書き込んでおくことにより、情報記録媒体２５毎に記録可能なコンテンツを制御することができる。具体的には、あるアーティストの曲だけ記録可能な情報記録媒体２５や、ある音楽会社の音楽だけ記録可能な情報記録媒体２５を提供することが可能となり、著作権使用料の流れを明確にすることができる。
【００８３】
また、この情報記録再生装置２０では、例えば図１３のフローチャートに示す手順に従って、ユーザ権限情報を更新する。
【００８４】
すなわち、この図１３のフローチャートにおいて、ステップＳ３１では、情報記録再生装置２０の情報再生部２６の付加情報復号処理部７６において、情報記録媒体２５からユーザ権限情報（トリガ情報１）を読み出す。
【００８５】
次のステップＳ３２では、付加情報復号処理部７６において、情報記録媒体２５に記録されている全コンテンツの著作権情報（トリガ情報２）を読み出す。
【００８６】
次のステップＳ３３では、情報記録再生装置２０の外部入出力部２３において、ネットワーク３３を通じて更新サービス提供者の機器と接続を行い、ユーザは所望の権限を選択する。
【００８７】
そして、次のステップＳ３４では、更新サービス提供者の機器において、上記ステップＳ３３でユーザが選択した権限とトリガ情報１とトリガ情報２を基に、課金／清算処理が行われる。
【００８８】
そして、次のステップＳ３５では、上記ステップＳ３４で課金／清算処理が正常に行われた場合に、更新サービス提供者の機器から入力された新たなユーザ権限情報（トリガ情報１’）を情報記録部２４により情報記録媒体２５に書き込む。
【００８９】
この情報記録再生装置２０では、このようにして、情報記録媒体２５のユーザ権限情報を更新可能にしてあるので、情報記録媒体２５を購入後でも必要に応じてユーザが権限情報を更新することができる。したがって、ユーザは、ユーザ権限情報を更新することで、情報記録媒体２５に応じて記録可能なコンテンツを制御するとともに、権限情報更新時にユーザ権限に応じた課金／清算を行うことで、著作権使用料の流れを明確にできる。
【００９０】
ここで、以上説明した実施の形態では、メイン情報が記録された書き込み層を示すアドレス情報として意味を持たせた上記メイン情報の付加情報を埋め込むようにして、多層書き込み層の情報記録媒体２５を介してメイン情報及び付加情報の記録再生を行うようにしたが、多層書き込み層の記録媒体に変えて、両面記録型の情報記録媒体や、メイン情報が分配して記録される複数枚を１組とする情報記録媒体、複数の記録領域を切り換えて使用される情報記録媒体を介してメイン情報及び付加情報の記録再生を行う場合にも、メイン情報を記録する書き込み面や記録領域など示すアドレス情報として意味を持たせた付加情報を埋め込んで記録することができる。また、上記情報記録媒体には、磁気テープ、光ディスク，磁気ディスク，光磁気ディスク，半導体等が各種形態のメディアを使用することができる。
【００９１】
すなわち、本発明は、例えば図１４に示すように、両面記録型の情報記録媒体１１５を介してメイン情報及び付加情報の記録再生を行う情報記録再生装置１１０にも適用することができる。
【００９２】
この情報記録再生装置１１０は、上述の多層の情報記録媒体１５を介してメイン情報と付加情報の記録／再生を行う情報記録再生装置１０と基本的に同様な動作を行うものであって、操作部１１１、この操作部１１１に接続された制御部１１２、この制御部１１２に接続された外部入出力部１１３、情報記録部１１４及び情報再生部１１６、上記情報記録部１１４及び情報再生部１１６によりメイン情報と付加情報が記録及び／再生される両面記録型の情報記録媒体１１５からなる。
【００９３】
この情報記録再生装置１１０における情報記録部１１４及び情報再生部１１６は、上記多層の情報記録媒体１１５の各書き込み層に対応する両面記録型の情報記録媒体１１５の各書き込み面１１５Ａ，１１５Ｂに対して、一対の記録再生ヘッドＨＡ，ＨＢを介して情報の記録再生を行う。
【００９４】
次に、情報記録部１１４の具体的な構成例を図１５のブロック図に示す。
【００９５】
この図１５に示す構成例の情報記録部１１４は、メイン情報が入力されるメイン情報処理部１５１、付加情報が入力される付加情報処理部１５２、上記メイン情報処理部１５１により処理されたメイン情報と上記付加情報処理部１５２により処理された付加情報が書き込みアドレス情報として供給される記録処理部１５６からなる。
【００９６】
この情報記録部１１４において、メイン情報処理部１５１は、メイン情報を記録マークとして両面記録型の情報記録媒体１１５に記録するためのメイン情報処理を行うものであって、メイン情報をメイン情報符号化データに変換して情報記録処理部１５６に供給する。
【００９７】
また、付加情報処理部１５２は、両面記録型の情報記録媒体１１５に記録されるメイン情報の書き込み面を示すアドレス情報として意味を持たせた上記付加情報を埋め込んで情報記録媒体１１５に記録するための付加情報処理を行うものであって、付加情報を情報記録媒体１１５に記録されるメイン情報の書き込みアドレス情報に変換して上記情報記録処理部１５６に供給する。
【００９８】
この付加情報処理部１５２は、付加情報が入力される付加情報符号化部１５３、この付加情報符号化部１５３から付加情報符号化データが供給される付加情報符号化データ／書き込み面変換部１５４、付加情報符号化データ／書き込み面変換部１５４から書き込み面制御信号が供給される書き込みアドレス決定部１５５からなる。
【００９９】
この付加情報処理部１５２では、メイン情報の付加情報が付加情報符号化部１５３により符号化されて付加情報符号化データ／書き込み面変換部１５４に供給される。付加情報符号化データ／書き込み面変換部１５４は、上記メイン情報の付加情報を当該メイン情報を書き込む情報記録媒体１１５の書き込み面を示す書き込み面制御信号に変換して書き込みアドレス決定部１５５に供給する。
【０１００】
ここで、もしも上記書き込み面制御信号により指定される情報記録媒体１１５の書き込み面に空き領域がないときは、付加情報も情報記録媒体１１５に記録する従来の付加情報記録モードの動作に移る。このときヘッダには、付加情報の記録状態が従来のモードであることをあらわす信号が記録され、符号化された付加情報は上記情報記録処理部１５６において情報記録媒体１１５に書き込まれる。
【０１０１】
一方、情報記録媒体１１５の書き込み面に空き領域があるときは、付加情報符号化部１５３において符号化された付加情報符号化データに応じて、付加情報符号化データ書き込み面変換部１５４において書き込み面制御信号を生成する。なお、付加情報符号化データからアドレスに変換するテーブル方式などを採用することもできる。
【０１０２】
そして、書き込みアドレス決定部１５５では、上記付加情報符号化データ／書き込み面変換部５４から供給される書き込み面制御信号と、情報記録媒体１１５のＴＯＣ情報など情報記録媒体１１５の空き領域情報に基づいて、上記情報記録媒体１１５に書き込むメイン情報の最終的な書き込みアドレスを決定する。
【０１０３】
上記情報記録処理部１５６は、上記メイン情報を各書き込み面１１５Ａ，１１５Ｂに分配して記録することにより、上記メイン情報が記録された書き込み面を示すアドレス情報として意味を持たせた上記付加情報を埋め込んで、上記メイン情報と当該メイン情報の付加情報を上記両面記録型の情報記録媒体１１５に記録する処理を行うものであって、上記付加情報処理部１５２で処理された上記付加情報に基づく書き込みアドレスに、上記メイン情報処理部１５１にて符号化されたメイン情報符号化データを記録マークとして両面記録型の情報記録媒体１１５の各書き込み面１１５Ａ，１１５Ｂに対して一対の記録再生ヘッドＨＡ，ＨＢを介して情報を実際に記録する。
【０１０４】
このような構成の上記情報記録部１１４では、図１６のフローチャートに示す手順に従って、上記メイン情報を各書き込み面１１５Ａ，１１５Ｂに分配して記録することにより、上記メイン情報が記録される書き込み面を示すアドレス情報として意味を持たせた上記付加情報を埋め込んで情報記録媒体１５に記録する。
【０１０５】
すなわち、上記情報記録部１４は、付加情報を記録するに当たり、まず、情報記録媒体１１５の各書き込み面１１５Ａ，１１５Ｂの空き領情報を取得する（ステップＳ４１）。そして、取得した空き領情報に基づいてメイン情報の書き込み領域があるか否かを判定する（ステップＳ４２）。
【０１０６】
上記ステップＳ４２における判定結果がＮＯすなわち空き領情報がない場合には、ヘッダに付加情報の記録方式をセットする（ステップＳ４６）。
【０１０７】
そして、上記付加情報符号化データ／書き込み面変換部１５４から供給される書き込み面制御信号に応じて書き込みアドレス決定部５５によりメイン情報を書き込む情報記録媒体１１５の書き込み面を設定し（ステップＳ４７）、設定した書き込み面におけるメイン情報の書き込みアドレスを設定して（ステップＳ４８）、メイン情報を記録する（ステップＳ４９）。
【０１０８】
このようにして上記情報記録媒体１１５に記録されるメイン情報は、上記メイン情報の付加情報に応じて２つの書き込み面１１５Ａ，１１５Ｂに分配して記録される。上記情報記録媒体１１５の各書き込み面１１５Ａ，１１５Ｂへの上記メイン情報の分配状態にて当該メイン情報の付加情報を示すことができる。
【０１０９】
すなわち、上記メイン情報を各書き込み面１１５Ａ，１１５Ｂに分配して記録することにより、上記メイン情報が記録された書き込み面を示すアドレス情報として意味を持たせた上記付加情報を埋め込んで、メイン情報と上記メイン情報の付加情報を情報記録媒体１１５に記録することができる。
【０１１０】
また、この情報記録再生装置１１０における情報再生部１１６は、図１７のブロック図に示すように、両面記録型の情報記録媒体１１５の各書き込み面１１５Ａ，１１５Ｂから一対の記録再生ヘッドＨＡ，ＨＢを介して再生データを読み取ってメイン情報と付加情報に分離する情報分離部１６１、上記情報分離部１６１により分離されたメイン情報に付加情報に応じた適応処理を施す適応処理部１６２、この適応処理部１６２により適応処理が施されたメイン情報から再生信号を生成する再生処理部１６３からなる。
【０１１１】
この図１７のブロック図に示す情報再生部１１６において、情報分離部１６１は、両面記録型の情報記録媒体１１５の各書き込み面１１５Ａ，１１５Ｂに記録されている情報を読み出してメイン情報と付加情報に分離し、それぞれ適応処理部６２に出力する。また、適応処理部１６２は、情報分離部１６１から入力される付加情報及び／又は外部入出力部１１３から入力される制御情報に応じて、上記情報分離部１６１から入力されるメイン情報並びに外部入出力部１１３から入力される入力情報に対して適応的な処理を行い、処理結果のメイン情報を情報再生処理部１６４に出力する。また、この適応処理部１６２は、入力された付加情報をそのまま若しくは更新して出力する。そして、再生処理部１６３は、適応処理部６２から入力されたメイン情報から再生信号を生成する。
【０１１２】
ここで、上記情報分離部１６１の具体的な構成例を図１８のブロック図に示す。
【０１１３】
この図１８に示す構成例の情報分離部１６１は、上記両面記録型の情報記録媒体１１５の各書き込み面１１５Ａ，１１５Ｂから一対の記録再生ヘッドＨＡ，ＨＢを介して再生データを読み取るデータ読み出し部１７１、このデータ読み出し部１７１により読み取った再生データが供給されるデータ解析部１７２、このデータ解析部１７２からメイン情報成分が供給されるメイン情報復号処理部１７３、上記データ解析部１７２からアドレス情報が供給されるアドレス解析部１７４、このアドレス解析部１７４から書き込み面情報が供給される書き込み面／付加情報符号化データ変換部１７５、この書き込み面／付加情報符号化データ変換部１７５から付加情報符号化データが供給される付加情報復号処理部１７６からなる。
【０１１４】
この情報分離部１６１において、データ読み出し部１７１により読み出された再生データは、データ解析部１７２によりメイン情報とアドレス情報に分離される。そして、メイン情報は、メイン情報復号処理部１７３にて復号化される。また、アドレス情報は、アドレス解析部１７４により書き込み面情報が抽出され、この書き込み面情報が書き込み面／付加情報符号化データ変換部１７５により付加情報符号化データに変換され、さらに、付加情報符号化データが付加情報復号処理部１７６により復号される。
【０１１５】
この情報分離部１６１は、図１９のフローチャートに示す手順に従った処理により、情報記録媒体１１５に記録されている情報を読み出してメイン情報と付加情報に分離して適応処理部１６２に供給する。
【０１１６】
すなわち、データ解析部１７２において、上記情報記録媒体１１５からデータ読み出し部１７１により読み取った再生データからアドレス情報を抽出して（ステップＳ５１）、ヘッダ情報を解析し（ステップＳ５２）、付加情報も記録されているか否かを判定する（ステップＳ５３）。
【０１１７】
そして、上記ステップＳ５３における判定結果がＹＥＳすなわち従来方式で付加情報が記録されていた場合には、上記情報記録媒体１１５からデータ読み出し部１７１により読み取った再生データから付加情報を復号する処理を付加情報復号処理部１７６にて行う（ステップＳ５４）。
【０１１８】
また、上記ステップＳ５３における判定結果がＮＯすなわち上記メイン情報が記録された書き込み面を示すアドレス情報として意味を持たせた上記付加情報を埋め込んで記録されている場合には、上記情報記録媒体１１５からデータ読み出し部１７１により読み取った再生データからメイン情報を復号する処理をメイン情報復号処理部１７３にて行う（ステップＳ５５）。また、アドレス解析部１７４によりアドレス情報を解析し（ステップＳ５６）、書き込み面情報を抽出する（ステップＳ５７）。
【０１１９】
そして、この書き込み面情報を書き込み面／付加情報符号化データ変換部１７５により付加情報符号化データに変換して（ステップＳ５８）、付加情報符号化データを付加情報復号処理部１７６により復号する（ステップＳ５９）。
【０１２０】
またアドレス解析部１７４にて抽出されたアドレス情報にて次の読み出しデータ位置が決定し、その情報に基づいてデータ読み出し部１７１に次のデータを読み込むためのアドレス情報が渡され、次のデータの読み出し動作が行われる。
【０１２１】
さらに、この情報記録再生装置１１０における適応処理部１６２では、情報分離部１６１において再生データから分離されたメイン情報について、例えば、スケーラビリティの実現、権限の付加、別機能の付加、特化処理あるいは圧縮処理など適応処理を上記情報分離部１６１において再生データから分離された付加情報に基づいて行う。
【０１２２】
また、本発明は、例えば図２０に示すように、メイン情報が分配して記録される複数枚を１組とする情報記録媒体２１５を介してメイン情報と付加情報を記録再生する情報記録再生装置２１０にも適用することができる。
【０１２３】
この情報記録再生装置２１０は、上述の多層の情報記録媒体１５を介してメイン情報と付加情報の記録／再生を行う情報記録再生装置１０と基本的に同様な動作を行うものであって、操作部２１１、この操作部２１１に接続された制御部２１２、この制御部２１２に接続された外部入出力部２１３、情報記録部２１４及び情報再生部２１６、上記情報記録部２１４及び情報再生部２１６によりメイン情報と付加情報が記録及び／再生される１組の情報記録媒体２１５からなる。
【０１２４】
この情報記録再生装置２１０における情報記録部２１４及び情報再生部２１６は、上記多層の情報記録媒体１５の各書き込み層に対応する複数枚を１組とする情報記録媒体２１５の各書き込み面２１５Ａ，２１５Ｂ・・・２１５Ｎに対して、１組の記録再生ヘッドＨＡ，ＨＢ・・・ＨＮを介して情報の記録再生を行う。
【０１２５】
さらに、本発明は、例えば図２１に示すように、情報記録媒体として半導体メモリを用いて、メイン情報と付加情報を記録再生する情報記録再生装置３１０にも適用することができる。
【０１２６】
この情報記録再生装置３１０は、上述の多層の情報記録媒体１５を介してメイン情報と付加情報の記録／再生を行う情報記録再生装置１０と基本的に同様な動作を行うものであって、操作部３１１、この操作部３１１に接続された制御部３１２、この制御部３１２に接続された外部入出力部３１３、情報記録部３１４及び情報再生部３１６、上記情報記録部３１４及び情報再生部３１６によりメイン情報と付加情報が記録及び／再生される半導体メモリを用いた情報記録媒体３１５からなる。
【０１２７】
この情報記録再生装置３１０では、半導体メモリを用いた情報記録媒体３１５の記憶領域をバンク切替えによりメイン情報の記憶領域として選択的に使用して、情報記録部３１４により、上記メイン情報を各記憶領域に分配して記録し、上記メイン情報が記録された記憶領域を示すバンク情報として意味を持たせた上記付加情報を埋め込んで、上記メイン情報と付加情報を上記情報記録媒体３１５に記録し、情報再生部３１６により、上記情報記録媒体３１５の各記憶領域に分配して記録されている上記メイン情報を再生信号から検出するとともに、上記メイン情報が記録された記憶領域を示すバンク情報として埋め込まれている上記付加情報を上記再生信号から検出して、上記メイン情報に上記付加情報に基づいて適応的な信号処理を施す。
【０１２８】
なお、この情報記録再生装置３１０では、情報記録媒体として半導体メモリを用いて、メイン情報と付加情報を記録再生する情報記録再生装置３１０では、バンク切り換えにより、付加情報をバンク情報として意味を持たせて埋め込むようにしたが、上記情報記録部３１４により、上記メイン情報の記録位置を示すアドレス情報の上位ビットとして意味を持たせた上記付加情報を埋め込んで、上記メイン情報と付加情報を上記情報記録媒体３１５に記録し、情報再生部３１６により、上記メイン情報の記録位置を示すアドレス情報として埋め込まれている上記付加情報を上記情報記録媒体３１５から読み取られた再生信号から検出するようにしてもよい。
【０１２９】
【発明の効果】
以上説明したように、本発明によれば、メイン情報用の記録領域を削減することなく、音楽や映像等の各種コンテンツからなるメイン情報とともに付加情報を記録及び／又は再生可能なデータ構造を有する情報記録媒体、上記情報記録媒体を介してメイン情報及び付加情報の記録及び／又は再生を行う情報記録方法、情報再生方法、情報記録再生方法、情報記録装置、情報再生装置、並びに情報記録再生装置を提供することができる。
【０１３０】
また、本発明によれば、上記情報記録媒体を使用して付加情報に応じて上記メイン情報に適応的な処理を施す情報再生方法、情報記録再生方法、情報再生装置、並びに情報記録再生装置を提供することができる。
【図面の簡単な説明】
【図１】本発明を適用した情報記録再生装置の構成例を示すブロック図である。
【図２】上記情報記録再生装置における外部入出力部の構成例を示すブロック図である。
【図３】上記情報記録再生装置における外部入出力部の別の構成例を示すブロック図である。
【図４】上記情報記録再生装置における情報記録部の具体的な構成例を示すブロック図である。
【図５】上記情報記録部による記録処理の手順を示すフローチャートである。
【図６】上記情報記録再生装置における情報記録媒体の構造を模式的に示す図である。
【図７】上記情報記録再生装置における情報再生部の構成を示すブロック図である。
【図８】上記情報再生部における情報分離部の具体的な構成例を示すブロック図である。
【図９】上記情報分離部におけるメイン情報と付加情報の分離処理の手順を示すフローチャートである。
【図１０】本発明を適用した情報記録再生装置の他の構成例を示すブロック図である。
【図１１】上記情報記録再生装置により情報記録媒体に付加情報として記録されるトリガ情報の内容を示す図である。
【図１２】上記情報記録再生装置により新たなメイン情報を自動的に取得して情報記録媒体に記録する場合の処理手順の一例を示すフローチャートである。
【図１３】上記情報記録再生装置によりユーザ権限情報を更新する場合の処理手順を示すフローチャートである。
【図１４】本発明を適用した情報記録再生装置の他の構成例を示すブロック図である。
【図１５】上記情報記録再生装置における情報記録部の具体的な構成例を示すブロック図である。
【図１６】上記情報記録部による記録処理の手順を示すフローチャートである。
【図１７】上記情報記録再生装置における情報再生部の構成を示すブロック図である。
【図１８】上記情報再生部における情報分離部の具体的な構成例を示すブロック図である。
【図１９】上記情報分離部におけるメイン情報と付加情報の分離処理の手順を示すフローチャートである。
【図２０】本発明を適用した情報記録再生装置の他の構成例を示すブロック図である。
【図２１】本発明を適用した情報記録再生装置の他の構成例を示すブロック図である。
【符号の説明】
１０，２０，１１０，２１０，３１０　情報記録再生装置、１１，２１，１１１，２１１，３１１　操作部、１２，２２，１１２，２１２，３１２　制御部、１３，２３，１１３，２１３，３１３　外部入出力部、１４，２４，１１４，２１４，３１４　情報記録部、１５，２５，１１５，２１５，３１５　情報記録媒体、１６，２６，１１６，２１６，３１６　情報再生部、３１　通信部、３２　バッファ部、３３　外部のネットワーク、４１　外部機器接続部、４２　バッファ部、４３　外部機器、５１，１５１　メイン情報処理部、５２，１５２　付加情報処理、５３，１５３　付加情報符号化部、５４，１５４　付加情報符号化データ／書き込み層変換部、５５，１５５　書き込みアドレス決定部、５６，１５６　情報記録処理部、１５Ａ，１５Ｂ・・・１５Ｎ　書き込み層、６１，１６１情報分離部、６２，１６２　適応処理部、６３，１６３　再生処理部、７１，１７１　データ読み出し部、７２，１７２　データ解析部、７３，１７３　メイン情報復号処理部、７４，１７４　アドレス解析部、７５　書き込み層／付加情報符号化データ変換部、７６，１７６　付加情報復号処理部、１１５Ａ，１１５Ｂ，２１５Ａ，２１５Ｂ・・・２１５Ｎ　書き込み面、１７５　書き込み面／付加情報符号化データ変換部、ＨＡ，ＨＢ・・・ＨＮ　記録再生ヘッド
【図１】
2004013965.tif 000003
【図２】
2004013965.tif 000004
【図３】
2004013965.tif 000005
【図４】
2004013965.tif 000006
【図５】
2004013965.tif 000007
【図６】
2004013965.tif 000008
【図７】
2004013965.tif 000009
【図８】
2004013965.tif 000010
【図９】
2004013965.tif 000011
【図１０】
2004013965.tif 000012
【図１１】
2004013965.tif 000013
【図１２】
2004013965.tif 000014
【図１３】
2004013965.tif 000015
【図１４】
2004013965.tif 000016
【図１５】
2004013965.tif 000017
【図１６】
2004013965.tif 000018
【図１７】
2004013965.tif 000019
【図１８】
2004013965.tif 000020
【図１９】
2004013965.tif 000021
【図２０】
2004013965.tif 000022
【図２１】
2004013965.tif 000023